(57)【特許請求の範囲】
【請求項１】
次の１〜１４の構成を備えたことを特徴とする照明型両面看板。
１.ケース（１）内に細長の蛍光灯（２）が横方向に間隔をあけて２本以上設けられ、ケース（１）の表裏両側に広告用の透光性のある表示パネル（３）が対向して２枚設けられ、夫々の蛍光灯（２）からの光により２枚の表示パネル（３）が照明される照明型両面看板において、
２.前記蛍光灯（２）はケース（１）内であって両表示パネル（３）の中間位置に設けられ、
３.ケース（１）の両側壁内面とその内側の蛍光灯（２）との間に外側反射体（９）が、２本の蛍光灯（２）の間に中間反射体（１０）が配置されて、二本以上の蛍光灯（２）と中間反射体（１０）と外側反射体（９）がケース（１）内であって両表示パネル（３）の中間位置に横一列に配置され、
４．外側反射体（９）と中間反射体（１０）の反射材にルミラー（登録商標）が使用され、
５．前記外側反射体（９）はその内側の蛍光灯（２）側から夫々の表示パネル（３）側に向けて直線状に外側広がりに傾斜する２つの傾斜反射部（５）を備えたＶ字状であり、
６．夫々の傾斜反射部（５）は蛍光灯（２）からの光を２枚の両表示パネル（３）側に効率良く反射できる傾斜角度であり、
７．前記２つの傾斜反射部（５）の表示パネル側端部に、直線状の垂直反射部（６）が夫々の表示パネル（３）側に向けて垂直に突設され、
８．前記２つの傾斜反射部（５）の蛍光灯側端部にその蛍光灯（２）に向けて、直線状の水平反射部（７）が夫々の表示パネル（３）と平行にして水平に突設され、
９．前記中間反射体（１０）はその両側方の蛍光灯（２）側から夫々の表示パネル（３）側に向けて直線状に外側広がりに傾斜する四つの本体傾斜反射部（１１）を備えた菱形であり、
１０．夫々の本体傾斜反射部（１１）は蛍光灯（２）からの光を夫々の表示パネル（３）側に効率良く反射できる傾斜角度であり、
１１．四つの本体傾斜反射部（１１）の表示パネル側頂部に、直線状の本体垂直反射部（１２）が夫々の表示パネル（３）側に向けて垂直に突設され、
１２．直線状の本体垂直反射部（１２）の先端（１２ａ）と表示パネル（３）との間に光が通る隙間（４８）が設けられ、
１３.前記四つの本体傾斜反射部（１１）の蛍光灯側端部にその蛍光灯（２）に向けて、直線状の本体水平反射部（１３）が夫々の表示パネル（３）と平行にして水平に突設され、
１４.蛍光灯（２）からの光は前記外側反射体（９）の傾斜反射部（５）と垂直反射部（６）と水平反射部（７）と、前記中間反射体（１０）の本体反射部（１１）と本体垂直反射部（１２）と本体水平反射部（１３）とから夫々の表示パネル（３）に向けて反射される。
【請求項２】
請求項１記載の照明型両面看板において、蛍光灯（２）が発光管（２０）の外周面に、光反射材（１４）が間隔（５０）をあけて設けられたフィルム（２１）を巻き付けたものであることを特徴とする照明型両面看板。
【請求項３】
請求項２記載の照明型両面看板において、フィルム（２１）に設けられた複数の光反射材（１４）のうち、表示パネル（３）と正対する側の光反射材（１４）の横幅を、他の光反射材（１４）の横幅よりも広くしたことを特徴とする照明型両面看板。
【発明の詳細な説明】
【０００１】
【発明の属する技術分野】
本発明はビルや駅の構内、プラットホーム、街頭等において各種の広告や案内を表示するのに使用される照明型両面看板に関するものである。
【０００２】
【従来の技術】
広告や案内を表示する照明型看板は従来より各種のものがある。その一つとして本件発明者が先に開発した照明型看板がある。この照明型看板は図６に示す様に上方開口の箱形に形成されたケースＡ内に蛍光灯Ｂを複数本取付け、隣接する蛍光管Ｂの中間下方に、同蛍光管Ｂからの光を表示パネルＣ側に反射させる傾斜面Ｄを備えた山形の反射体Ｅを設けると共に、ケースＡの内周面に沿って周面反射体Ｆを設けてなるものである。
【０００３】
前記図６に示す照明型看板は、図７に示す様に蛍光管Ｂから上方に出た光は直接表示パネルＣを照明し、上方以外の方向に出た光は反射体Ｅ及び周面反射体Ｆにより反射されて表示パネルＣを照明するため、表示パネルＣのうち夫々の蛍光管Ｂの中間部分も十分に照明され、表示パネルＣの明るさにムラができず、全体が明るく照明されるものである。
【０００４】
【発明が解決しようとする課題】
前記図６に示す照明型看板は十分に機能するものであり、特に課題はない。本件発明は、前記図６に示す照明型看板に改良を加えることによって、より一層表示パネルをムラなく、且つ明るく照明することが可能な照明型両面看板を提供しようとするものである。
【０００５】
【課題を解決するための手段】
本件出願の請求項１記載の照明型両面看板は、次の（１）〜（１４）の構成を備えたことを特徴とするものである。
（１）ケース１内に細長の蛍光灯２が横方向に間隔をあけて２本以上設けられ、ケース１の表裏両側に広告用の透光性のある表示パネル３が対向して２枚設けられ、夫々の蛍光灯２からの光により２枚の表示パネル３が照明される照明型両面看板において、
（２）前記蛍光灯２はケース１内であって両表示パネル３の中間位置に設けられ、
（３）ケース１の両側壁内面とその内側の蛍光灯２との間に外側反射体９が、２本の蛍光灯２の間に中間反射体１０が配置されて、二本以上の蛍光灯２と中間反射体１０と外側反射体９がケース１内であって両表示パネル３の中間位置に横一列に配置され、
（４）外側反射体９と中間反射体１０の反射材にルミラー（商品名）が使用され、
（５）前記外側反射体９はその内側の蛍光灯２側から夫々の表示パネル３側に向けて直線状に外側広がりに傾斜する２つの傾斜反射部５を備えたＶ字状であり、
（６）夫々の傾斜反射部５は蛍光灯２からの光を２枚の両表示パネル３側に効率良く反射できる傾斜角度であり、
（７）前記２つの傾斜反射部５の表示パネル側端部に、直線状の垂直反射部６が夫々の表示パネル３側に向けて垂直に突設され、
（８）前記２つの傾斜反射部５の蛍光灯側端部にその蛍光灯２に向けて、直線状の水平反射部７が夫々の表示パネル３と平行にして水平に突設され、
（９）前記中間反射体１０はその両側方の蛍光灯２側から夫々の表示パネル３側に向けて直線状に外側広がりに傾斜する四つの本体傾斜反射部１１を備えた菱形であり、
（１０）夫々の本体傾斜反射部１１は蛍光灯２からの光を夫々の表示パネル３側に効率良く反射できる傾斜角度であり、
（１１）四つの本体傾斜反射部１１の表示パネル側頂部に、直線状の本体垂直反射部１２が夫々の表示パネル３側に向けて垂直に突設され、
（１２）直線状の本体垂直反射部１２の先端１２ａと表示パネル３との間に光が通る隙間４８が設けられ、
（１３）前記四つの本体傾斜反射部１１の蛍光灯側端部にその蛍光灯２に向けて、直線状の本体水平反射部１３が夫々の表示パネル３と平行にして水平に突設され、
(１４)蛍光灯２からの光は前記外側反射体９の傾斜反射部５と垂直反射部６と水平反射部７と、前記中間反射体１０の本体反射部１１と本体垂直反射部１２と本体水平反射部１３とから夫々の表示パネル３に向けて反射される。
【０００６】
【０００７】
【０００８】
【０００９】
本件出願の請求項２記載の照明型両面看板は、請求項１記載の照明型両面看板において、蛍光灯２が発光管２０の外周面に、光反射材１４を間隔５０をあけて設けたフィルム２１を巻き付けたものである。
【００１０】
本件出願の請求項３記載の照明型両面看板は、請求項２記載の照明型両面看板において、フィルム２１に設けられた複数の光反射材１４のうち、表示パネル３と正対する側の光反射材１４の横幅を、他の光反射材１４の横幅よりも広くしたものである。
【００１１】
【００１２】
【発明の実施の形態】
（実施の形態１）
本発明の照明型両面看板の第１の実施形態を図１、図３〜図５に基づいて詳細に説明する。本発明の照明型両面看板は図１（ａ）（ｂ）に示す様に、ケース１の厚さ方向両側に形成されている嵌合凹部３０に、表面に広告が表示された透光性のある表示パネル３が２枚対向して配置固定され、ケース１内に細長の蛍光灯２と、蛍光灯２からの光を２枚の表示パネル３側に反射させる反射体４を備えてなるものである。
【００１３】
前記ケース１はアルミ又はアルミ合金又はステンレス等の板材を加工して横長で上方開口の箱状に形成してなるものである。図１（ａ）（ｂ）に示す様にケース１の周縁に内側コ字形の嵌合凹部３０を形成して、前記表示パネル３の外周縁部３３を嵌合可能としてある。このケース１には各種サイズのものがあるが、図１（ａ）（ｂ）に示すものは一例として縦幅７５ｃｍ、横幅１２０ｃｍ、高さ１０ｃｍとしてある。
【００１４】
前記表示パネル３は乳白色の長方形アクリル板の表面に、広告用の文字や図柄等を表示してなるものである。この表示パネル３は前記ケース１の上方から、その外周縁部３３を同ケース１の嵌合凹部３０に嵌め込む様にしてセットすると、図１（ｂ）に示す様にケース１の嵌合凹部３０の内側に隙間なく嵌合される形状及び大きさとしてある。表示パネル３はケース１の嵌合凹部３０に嵌合された外周縁部３３を図示されていない螺子によってケース１に固定することによって同ケース１に固定することができるようにしてある。
【００１５】
前記表示パネル３の板厚、乳白色の濃さ等は任意に選択することができる。但し、蛍光灯２からの光で表示パネル３の表面全体がムラなく照明されるようにするためには乳白色の濃さを濃くする方が望ましいが、その一方で濃くし過ぎると明るさが低下する。したがって、照明ムラがなく、且つ全体が十分な明るさで照明される濃さを選択することが望ましい。また、表示パネル３の表面に表される広告用の文字や図柄等は、同表示パネルの表面に直接印刷してもよく、文字や図柄等が表示されたシートを表示パネルの表面に貼ってもよい。
【００１６】
前記反射体４は図１（ａ）（ｂ）に示すように、ケース内の蛍光灯２の両外側に２つ設けられており、夫々の反射体４は傾斜反射部５、縦向きの垂直反射端部６、水平反射部７を備えており、それらに反射シート３６が張設されている。反射シート３６は前記傾斜反射部５の表面、垂直反射端部６の表面及び水平反射部７の表面の全てを覆うことが可能な大きさの一枚ものとすることもでき、傾斜反射部５の表面、垂直反射端部６の表面、水平反射部７の夫々に別々の反射シート３６を張設することもできる。何れにしてもこの反射シート３６としては東レ株式会社製の反射性シート（商品名：ルミラー）が使用される。尚、前記傾斜反射部５は蛍光灯２からの光を最も効率良く表示パネル３に反射可能な傾斜角度としてあることは勿論である。
【００１７】
前記蛍光灯２は光反射材付発光管であり、図３（ａ）に示す様に表面に帯状の光反射材１４が一定間隔で複数配置された透明なフィルム２１を、同図（ｂ）に示す様に、光反射材１４が外側になる向きで発光管２０の外周面に巻つけることによって、同図（ｃ）に示す様に発光管２０の外周面に帯状の光反射材１４が一定間隔で配置されるようにしてある。前記光反射材１４には従来から存在する光反射材や専用に開発された光反射材を使用することができる。また、図３（ｄ）に示す様に発光管２０の外周面に設けられた複数の光反射材１４のうち表示パネル３と正対する発光管２０上下の光反射材１４を他のそれよりも横幅を広くして表示パネル３により効率的に光が反射されるようにすることもできる。
【００１８】
前記蛍光灯２は図４に示す様に、その両端を、ケース１の長手方向両側に設けられている傾斜反射部５に形成された通孔３９から同傾斜反射部５の外側まで夫々貫通させ、ケース１の底面３４に立設された支持板４２に取付けられているソケット４５にセットして、図示されていない電源コードを介して電源が供給されるようにしてある。また、各種安定器によって蛍光灯２のちらつきを解消することが望ましく、特にインバータ安定器を用いるのが望ましい。
【００１９】
図１（ａ）（ｂ）に示す照明型看板は同図（ｂ）に示すように２枚の表示パネル３を対向するように配置したいわゆる両面看板である。
【００２０】
具体的には図１（ａ）（ｂ）に示す様に、ケース１の中央に配置された蛍光灯２の軸の両外側に形成された夫々の反射体４は、蛍光灯２側から、対向する上下の表示パネル３の夫々に向けて直線状に外広がりとなる２つの傾斜反射部５によって山形に形成され、且つ２つの傾斜反射部５の接合部から蛍光灯２に向けて表示パネルと水平な水平反射部７を形成し、夫々の傾斜反射部５の表示パネル３側端部には表示パネル３に垂直な縦向き反射端部６が形成されている。これら傾斜反射部５及び水平反射部７、縦向き反射端部６の表面に反射シート３６が張設されて、蛍光灯２から出た光をそれら反射シート３６により前記表示パネル３に向けて反射させるようにしてある。
【００２１】
【００２２】
【００２３】
（実施の形態２）
図２に示す照明型両面看板の基本構成は図１に示すものと同一であり、表示パネル３が２枚の両面看板であって、ケース１内に間隔を開けて２本の蛍光灯２を配置し、両蛍光灯２の外側に外側反射体９を設け、両蛍光灯２の間に中間反射体１０を設けてある。
【００２４】
前記外側反射体９は図２に示す様に蛍光灯２側から上下の表示パネル３、３の夫々に向けて直線状に外広がりになる２つの傾斜反射部５により山形（蛍光灯（２）の横方向外側に向けて広がるＶ字状）に形成される共に、２つの傾斜反射部５の接合部から蛍光灯２に向けて表示パネル３と水平な水平反射部７が突設され、夫々の傾斜反射部５の表示パネル３側端部には同表示パネル３に垂直反射端部６が縦向きに垂直に突設されている。
【００２５】
前記中間反射体１０は図２に示す様に、その外側の蛍光灯２側から内側（ケース１の中央側）に向けて直線状に外広がりになる４つの本体反射部１１によって菱形に形成されると共に、本体反射部１１の蛍光灯２側端部から表示パネル３に対して水平な本体水平反射部１３が突設され、表示パネル３側端部から同表示パネル３に垂直な本体垂直反射部１２が縦向きに突設されている。本体垂直反射部１２の先端１２ａと表示パネル３との間には隙間４８を形成して夫々の蛍光灯２からの光が遮られないようにしてある。前記外側反射体９及び中間反射体１０の表面に前記と同様の反射シート３６が張設されていることは勿論である。
【００２６】
【００２７】
【００２８】
【００２９】
【００３０】
【００３１】
【００３２】
【００３３】
【００３４】
（他の実施の形態）
蛍光灯には、通常の蛍光管よりも光量を多くした看板用蛍光管を使用することもできる。
【００３５】
また、蛍光灯の数は上記の数に限られるものではなく、照明型両面看板の大きさや形状等に合わせて、これより多くすることも少なくすることもできる。さらに、その配置方法も横に複数本並べて配置することもでき、縦に複数本並べて配置することもでき、さらにはこれらを組み合わせた配置も可能である。
【００３６】
前記実施形態では表示パネル３をケース１の周縁に形成された嵌合凹部３０に嵌合することによって、ケース１に取付けたが、図５に示す様にケース１の周縁に受縁５１を形成し、同受縁５１の上に表示パネル３の外周縁部３３をのせ、表示パネル３の外周縁部３３の上から抑え枠５４を被せ、この抑え枠５４を図示されていない螺子等によってケース１に固定することによって、当該抑え枠５４と前記受縁５１との間に表示パネル３の外周縁部３３を挟着固定することもできる。
【００３７】
【発明の効果】
本件出願の請求項１記載の照明型両面看板は、次のような効果を有する。
（１）蛍光灯２を表裏両面の表示パネル３の間に設けたので、ケースの表裏両面の表示パネル３を均等に照射することができる。
（２）ケース１内のケース側壁と蛍光灯２の間に外側反射体９を設け、外側反射体９に夫々の蛍光灯２側から夫々の表示パネル３側に直線状に外側広がりとなる二つの傾斜反射部５を設け、この傾斜反射部５は蛍光灯２からの光を夫々の表示パネル３側に効率良く反射できる傾斜角度としたので、蛍光灯２からケースの側壁側に出射する光が外側反射体９で表示パネル３側に反射される、蛍光灯２からケースの側壁側に出射する光を有効活用して、表示パネル３を効率よく照射することができる。また、傾斜反射部５が無い場合よりも表示パネル３全体が明るく照明される。
（３）夫々の傾斜反射部５の夫々の表示パネル３側端部に、夫々の表示パネル３側に縦向きである垂直反射端部６を設けたので、傾斜反射部５で反射される光が垂直反射端部６によっても表示パネル３に反射され、蛍光灯２からの光が無駄なく活用され、表示パネル全体が明るく照射される。
（４）傾斜反射部５の蛍光灯側端部に表示パネル３と水平な水平反射部７を蛍光灯２側に向けて突設したので、蛍光灯２からの光の一部が表示パネル３で反射されてケース内に戻り、その光が水平反射部７によって反射されて表示パネル３に戻される。このため、蛍光灯２からの光が無駄なく表示パネル３に照射され、照射効率が良く、水平反射部７が無い場合よりも表示パネル３全体が明るく照明され、表示パネル全般に明るさムラがない。
【００３８】
（５）ケース１内の隣接する蛍光灯２間に中間反射体１０を設けたので、蛍光灯２からの光が中間反射体１０により表示パネル３側に反射され、表示パネル３全般を効率よく照射することができる。
（６）中間反射体１０が蛍光灯２側から表示パネル３側に向けて外側広がりの傾斜になる四つの本体傾斜反射部１１を備えた菱形であり、夫々の本体傾斜反射部１１が蛍光灯２からの光を夫々の表示パネル３側に効率良く反射できる傾斜角度であるため、蛍光灯２からの光が本体傾斜反射部１１によりケース１の表裏両面の表示パネル３に確実に反射され、本体傾斜反射部１１が無い場合よりも表示パネル３全体が明るく照明される。
（７）四つの本体傾斜反射部１１の表示パネル３側頂部に、夫々の表示パネル３側に縦向きである本体垂直反射部１２を形成したので、蛍光灯２からの光が本体垂直反射部１２によっても表示パネル３側に反射される。このため光が無駄なく、効率良く表示パネル３側に照射され、表示パネル３全体が明るくなる。
（８）四つの本体傾斜反射部１１の蛍光灯側端部に夫々の表示パネル３と水平で夫々の蛍光灯２側に突出する本体水平反射部１３が突設されているので、蛍光灯２からの光の一部が表示パネル３で反射されてケース内に戻り、その光が本体水平反射部１３によって反射されて表示パネル３に戻される。このため、蛍光灯２からの光が無駄なく表示パネル３に照射され、照射効率が良く、水平反射部７が無い場合よりも表示パネル３全体が明るく照明され、表示パネル全般に明るさムラがない。
【００３９】
（９）外側反射体９の水平反射部７と、中間反射体１０の本体水平反射部１３と、２以上の蛍光灯２が、蛍光灯２の配列方向に横一列に配列されているので、ケース１の表裏両面側のパネルを均等に照射することができる。
（１０）本体垂直反射部１２の先端部１２ａと表示パネル３との間に隙間４８を形成して、夫々の蛍光灯２からの光が遮られないようにしたので、蛍光灯２からの光が遮光されることなく表示パネル３側に確実に照射される。また、傾斜反射部７、本体傾斜反射部１１からの光も表示パネル３側に確実に照射されるので、蛍光灯２からの光で表示パネル全体がムラなく、明るく照明される。
【００４０】
（１１）外側反射体９と中間反射体１０の表面に夫々の蛍光灯２からの光を夫々の表示パネル３に向けて反射させるルミラー３６を張設したので、外側反射体９及び中間反射体１０からの反射効率が向上する。
【００４１】
【００４２】
【００４３】
本件出願の請求項２，３記載の照明型両面看板は、次のような効果を有する。
発光管の外周面に光反射材を、間隔をあけて設けたフィルムを巻き付けた蛍光灯を使用したので、光反射材付フィルムの製作が容易である。
【図面の簡単な説明】
【図１】  （ａ）は照明型両面看板の一例を示す説明図、（ｂ）は（ａ）の横断面図。
【図２】  本発明の照明型両面看板の実施形態の一例を示す横断面図。
【図３】  （ａ）は本発明の照明型両面看板に使用される蛍光灯の光反射材付フィルムの一例を示す説明図、（ｂ）は本発明の照明型両面看板に使用される蛍光灯の一例を示す端面図、（ｃ）は（ｂ）の蛍光灯の斜視図、（ｄ）は本発明の照明型両面看板の表示パネルと蛍光灯の配置関係を示す説明図。
【図４】  本発明の照明型両面看板における蛍光灯の取付け状態の一例を示す説明図。
【図５】  本発明の照明型両面看板における蛍光灯の取付け状態の他例を示す説明図。
【図６】  従来の照明型看板の一例を示す説明図。
【図７】  図６に示す照明型看板における表示パネルの照明状態を示す説明図。
【符号の説明】
１  ケース
２  蛍光灯
３  表示パネル
４  反射体
５  傾斜反射部
６  縦向き反射端部
７  水平反射部
９  外側反射体
１０  中間反射体
１１  本体反射部
１２  本体縦向き反射部
１３  本体水平反射部
１４  光反射材
２０  発光管
２１  フィルム
【図１】
0003679254.tif 000002
【図２】
0003679254.tif 000003
【図３】
0003679254.tif 000004
【図４】
0003679254.tif 000005
【図５】
0003679254.tif 000006
【図６】
0003679254.tif 000007
【図７】
0003679254.tif 000008